(57)【特許請求の範囲】
【請求項１】
ガス、水道等の自動検針を行うテレメータシステムの端末網制御装置であって、既設の端末網制御装置あるいは設定器との通信が切替え可能な設定器インタフェース手段と、前記設定器インタフェース手段によって切り替え接続された前記端末網制御装置と通信する手段と、当該通信により初期設定データを取得する手段と、取得した前記初期設定データを記憶させる手段と、前記初期設定データの記憶に応じて前記既設の端末網制御装置に設定されている初期設定データを消去する命令を出す手段とを備えていることを特徴とする端末網制御装置。
【請求項２】
前記既設の端末網制御装置から前記初期設定データの通信を実行するための操作手段を備えることを特徴とする請求項１に記載の端末網制御装置。
【請求項３】
前記既設の端末網制御装置から前記初期設定データの通信の結果を表す表示手段を備えることを特徴とする請求項２に記載の端末網制御装置。
【請求項４】
前記初期設定データの通信が所定時間内に完了しないことに応じて、当該通信を停止するとともに、前記表示手段に前記通信動作が完了していないことを表示させることを特徴とする請求項３に記載の端末網制御装置。
【発明の詳細な説明】
【技術分野】
【０００１】
本発明は、センタ側装置に公衆電話回線網等の通信回線を介して接続されて、ガスや水道等の自動検針等を行うシステムの端末網制御装置であって、初期設定データの設定に関する。
【背景技術】
【０００２】
従来、既設の端末網制御装置においては、電池消耗等に起因して取替設置を実施した場合には、通信相手のセンタ装置等の発呼先電話番号や管理用のＩＤ等の、基本となる初期設定データの変更は発生しない。一方、新たに設置する端末網制御装置については、各種設定を携帯用の設定器によって初期設定データとして書き込むか、センタを呼出して当該センタからの通信により必要なデータをダウンロードさせるというものであった。
【０００３】
また、端末側網制御装置の個別番号初期設定において、予めセンタ側へ個別番号登録申請を行っておき、当該初期設定時に特定のセンタに自動ダイヤルし、当該センタから個別番号を示す信号を受信し、この個別番号情報をメモリ内に記憶し、以後これを当該端末側網制御装置の個別番号として初期設定データを完了するというものが提案されている（特許文献１参照）。
【０００４】
また、ＩＤ、発呼先電話番号、ＮＲＳ番号等の何らの設定もされていない初期状態において、呼び出し信号（１６Ｈｚ）を検出して、リンガー着信し、着信後、ＰＢ（プッシュボタン）信号でＩＤ（仮ＩＤでも可）、発呼先電話番号、ＮＲＳ番号等を書き込み、その後端末発信し、センタから設定データをダウンロードさせるというものが提案されている（特許文献２参照）。
【特許文献１】特公平０４−３８１７７号公報
【特許文献２】特開平０７−１６２５４５号公報
【発明の開示】
【発明が解決しようとする課題】
【０００５】
上記のように、従来、端末網制御装置の取替工事の際に、初期設定データの措置については、設定器によって初期設定データを書き込む、もしくはセンタ装置から初期設定データをダウンロードするという方策が取られていたが、設定器による初期設定データの書き込みは設定誤りや設定時間の短縮化ができないという問題がある。また、センタ装置からのダウンロードにおいても、設定時間や短縮化を容易に行えないという問題がある。
【０００６】
そこで、端末網制御装置の取替工事においては既設されていた端末網制御装置の初期設定データを利用する点で解決すべき課題がある。
【課題を解決するための手段】
【０００７】
この発明による端末網制御装置は、既設の端末網制御装置あるいは設定器との通信が切替え可能な設定器インタフェース手段と、前記設定器インタフェース手段によって切り替え接続された前記端末網制御装置と通信する手段と、当該通信により初期設定データを取得する手段と、取得した前記初期設定データを記憶させる手段と、前記初期設定データの記憶に応じて前記既設の端末網制御装置に設定されている初期設定データを消去する命令を出す手段とを備えている。
【０００８】
端末網制御装置は、池消耗等に起因して取替が必要となることがある。この発明による端末網制御装置は、既設の端末網制御装置と通信する手段と、通信を実行するための手段と、当該通信により初期設定データを取得する手段を設けているので、端末網制御装置の取替工事においては、既設の端末網制御装置の初期設定データを取替えの際に新設される端末網制御装置に移動することにより、初期設定データを簡単に設定することが可能になり、設定時間の短縮化を図り、設定誤りをなくすことができる。また、前記記憶させる手段として、不揮発性メモリ等の記憶部とすることができる。さらに、初期設定データを記憶することにより、同じ内容の初期設定データが既設の端末網制御装置にあることになるので、既設の端末網制御装置に設定されている初期設定データを消去指示する命令を出す手段を備えることができる。
【０００９】
この端末網制御装置において、既設の端末網制御装置から前記初期設定データの通信を実行開始するための操作手段を設けることができる。当該操作手段としては、一例として、押し下げることで操作開始されるプッシュスイッチとすることができる。初期設定データの通信の実行については、制御部によって制御することができる。
【００１０】
また、この端末網制御装置において、既設の端末網制御装置から前記初期設定データの通信の結果を表す表示手段を備えることができる。初期設定データの通信については、正常に完了又は不首尾に終了することがあるが、どちらも区別して表示可能とすることが好ましい。また、表示手段の一例として、表示灯とすることができる。
【００１３】
更に、この端末網制御装置において、データ化け等で初期設定データの通信が不応答となる、即ち、当該通信が所定時間内に完了しない場合には、当該通信を停止するとともに、前記表示手段に通信動作が完了していないことを表示させることができる。初期設定データの通信の停止や表示手段への制御については、制御部によって行うことができる。
【発明の効果】
【００１４】
この発明による端末網制御装置によれば、既存の端末網制御装置の初期設定データを新設の端末網制御装置に通信接続して移動させることにより、初期設定データの取得が簡単に行われ、設定時間の短縮化を図り且つ設定誤りを無くすことができる。
【発明を実施するための最良の形態】
【００１５】
以下に、図を参照して、本発明による端末網制御装置の実施形態を説明する。図１は、本発明による端末網制御装置について初期設定データを移動させる際の一接続例を示す概略図である。図２は、本発明による端末網制御装置の一実施形態とそれに接続される周辺機器を示す回路構成図である。また、図３は本発明による端末網制御装置において初期設定データを移動させる際のフローチャート例である。
【００１６】
図１に示すように、新規に設置される端末網制御装置１０の端子台１２と既設の端末網制御装置１１の端子台１３とは、通信接続線１４で接続されている。新設の端末網制御装置１０は、通信接続線１４を介して既設の端末網制御装置１１が接続されているので、設定器１５が接続されている状態と同じになる。新設の端末網制御装置１０は、端末網制御装置１０に備わる操作スイッチ１６の操作により、既設の端末網制御装置１１との間で通信を開始・実行して初期設定データを取得する。端末網制御装置１０が初期設定データの取得を完了すると、端末網制御装置１０に備わる表示灯１７が点灯する。データ化け等で初期設定データの通信不応答の場合には、所定時間を超過したときに、端末網制御装置１０は通信を停止する命令を既設の端末網制御装置１１に出力通信するとともに、自ら（端末網制御装置１０）の通信を終了させ、通信（初期設定データの取得）が完了していないことを表すために表示灯１７を点滅表示させて、通信エラーであることを表す。
【００１７】
図２には、新設の端末網制御装置２０の回路構成ブロックと周辺機器との接続例が示されている。端末網制御装置２０は、初期設定データを取得するために一時的に通信接続線２１を通じて既設の端末網制御装置２２に接続されており、具体的には、既設の端末網制御装置２２は、新設の端末網制御装置２０において端子台２３を経由して設定器インタフェース２４に接続されている。設定器インタフェース２４は、既設の端末網制御装置２２と接続可能にする回路と、通常の設定器を接続する回路とを備えており、何れかの回路に切り替え可能なインタフェースである。設定器インタフェース２４は、情報データである初期設定データをマイコンで構成する制御部２５に伝達する。
【００１８】
操作スイッチ２６は、押し下げることで既設の端末網制御装置２２と通信を開始させるプッシュスイッチ手段である。表示灯２７は、既設の端末網制御装置２２と通信が完了すると点灯し、通信不可の場合は所定時間、点滅表示をする表示手段である。記憶部２８は、不揮発性メモリで構成されており、既設の端末網制御装置２２から取得した初期設定データを記憶する。電池２９は、新設の端末網制御装置２０の電源である。
【００１９】
ガスメータ３０及び接点機器３１は、新設の端末網制御装置２０の端子台２３に接続される。ガスメータ３０の情報データ及び接点機器３１の制御データ等は、メータインタフェース３２及び接点インタフェース３３を経由して制御部２５に伝達される。伝達された情報は、モデム等を含む回線処理部３４で変調して公衆回線網３５を経由してセンタ装置３６へ通信される。
【００２０】
本発明の端末網制御装置における初期設定データの移動について、図３を参照して説明する。図３に示されているように、新設の端末網制御装置２０（構成要素については、図２に示す符号を用いる）と既設の端末網制御装置２２間を接続した（ステップ０１；「Ｓ０１」と略す。以下同じ）後に、プッシュスイッチである操作スイッチ２６をＯＮする（Ｓ０２）と、制御部２５は設定器インタフェース２４を既設の端末網制御装置２２と接続可能な回路に切り替えて（Ｓ０３）、既設の端末網制御装置２２に対して初期設定データの読み出し（Ｓ０４）命令を送信する。
【００２１】
制御部２５は、既設の端末網制御装置２２から初期設定データの読み出しが成功したかを（Ｓ０５）判断し、成功していれば初期設定データを記憶部２８に記憶する（Ｓ０６）。初期設定データが記憶されることにより、制御部２５は既設の端末網制御装置２２に対して既設の端末網制御装置２２内に記憶されている初期設定データの消去命令を送信する（Ｓ０７）。消去命令に対する返信応答が確認すれば制御部２５は任意の時間、表示灯２７を点灯させる（Ｓ０８）。前記点灯が終了すると、制御部２５は設定器インタフェース２４を設定器への接続回路に切り替え（Ｓ０９）、設定器が接続可能な状態にする。
【００２２】
Ｓ０５で成功されなかった場合には、制御部２５は既設の端末網制御装置２２に対して初期設定データの読み出しの中止命令を送信する（Ｓ１０）。送信後に制御部２５は任意の時間、表示灯２７を点滅させる（Ｓ１１）。前記点滅が終了すると、制御部２５は設定器インタフェース２４を設定器への接続回路に切り替え（Ｓ０９）、設定器が接続可能な状態にする。
【図面の簡単な説明】
【００２３】
【図１】本発明による端末網制御装置の一接続例を示す概略図。
【図２】本発明による新設の端末網制御装置の一実施形態とそれに接続される周辺機器を示す回路構成図。
【図３】本発明による端末網制御装置において初期設定データを移動させる際のフローチャート。
【符号の説明】
【００２４】
１０・２０  新設の端末網制御装置
１１・２２  既設の端末網制御装置
１２・２３  新設の端末網制御装置の端子台
１３        既設の端末網制御装置の端子台
１４・２１  通信接続線
１５        設定器
１６・２６  操作スイッチ
１７・２７  表示灯
２４        設定器インタフェース
２５        制御部
２８        記憶部
２９        電池
３０        ガスメータ
３１        接点機器
３２        メータインタフェース
３３        接点インタフェース
３４        回線処理部
３５        公衆回線網
３６        センタ装置
【図１】
0004881286.tif 000002
【図２】
0004881286.tif 000003
【図３】
0004881286.tif 000004